(57)【要約】【課題】ガス器具のガス供給口であるプラグには複数の形状があり、継手部材が接続されるプラグとゴム管が直接接続されるプラグとでは形状が相違する。継手部材用のプラグに誤ってゴム管を直接接続すると確実に接続できないため、そのままガス器具を使用することは望ましくない。【解決手段】プラグ１１の先端近傍に腕部２８の先端部分２８ａを位置させて、ゴム管を直接プラグ１１に接続しようとしてもこの先端部分２８ａでゴム管の接続を阻害する。一方、継手部材を接続する際には、継手部材の先端が傾斜部２８ｂに当接して腕部２８を外側に拡がるように撓ませて、先端部分２８ａがプラグ１１の先端から遠ざかり、継手部材がプラグ１１に接続できるようにした。【選択図】  図４
2010164135.tif 000002
【特許請求の範囲】
【請求項１】
ゴム管の直径より大きな先端を有する継手部材が着脱自在に接続されるプラグを備えたプラグユニットにおいて、プラグユニットの先端近傍に、ゴム管をプラグに連結しようとした際にゴム管とプラグとの間に位置してゴム管がプラグに連結されることを阻害する阻害手段と、継手部材がプラグに連結される際にプラグの先端で移動され、その移動に伴って阻害手段を退避させて継手部材がプラグへ連結されることを許容する阻害解除手段を設けたことを特徴とするプラグユニット。
【請求項２】
プラグを囲繞し、端部がプラグの先端よりも突出するケーシングを備え、このケーシングの端部から可撓性を有する腕部をプラグの先端に向かって延設し、腕部の先端をケーシングの中心方向に屈曲させて上記阻害手段とすると共に、腕部の中間部分に上記阻害解除手段を形成し、継手部材が腕部の中間部分に当接した状態から継手部材をプラグ側に進めると、腕部が外方向に撓んで腕部の先端が継手部材の先端の進行範囲から退避するようにしたことを特徴とする請求項１に記載のプラグユニット。
【請求項３】
プラグを囲繞する阻害部材からプラグの先端位置よりも突出する可撓性を有する腕部を形成し、この腕部の先端を阻害部材の中心方向に屈曲させて上記阻害手段とすると共に、プラグを囲繞し、端部がプラグの先端よりも突出するケーシングを設け、このケーシングの端部から可撓性を有する解除腕部をプラグの先端に向かって延設し、解除腕部の先端を阻害部材の腕部の内側に係合させ、継手部材が解除腕部に当接した状態から継手部材をプラグ側に進めると、解除腕部が外側に撓むことにより腕部を外方向に撓ませて腕部の先端が継手部材の先端の進行範囲から退避するようにしたことを特徴とする請求項１に記載のプラグユニット。
【請求項４】
プラグの先端から所定距離離した位置に、１対の開閉式のシャッタ部材を上記阻害手段として配設すると共に、シャッタ部材を挟んでプラグと反対側に１対の開閉翼部材を上記阻害解除手段として設け、開閉翼部材の外側端部で揺動自在に保持することにより、開閉翼部材に継手部材が当接した状態から継手部材をプラグ方向に進めると、開閉翼部材が揺動し、かつ揺動部材にシャッタ部材を連結すると共にシャッタ部材を外側にガイドするガイド溝に係合させ、開閉翼部材が揺動するとシャッタ部材が連動して外側に移動することによりシャッタ部材が継手部材の先端の進行範囲から退避するようにしたことを特徴とする請求項１に記載のプラグユニット。
【請求項５】
上記継手部材の先端は継手部材の本体に対して進退自在であって、継手部材がプラグに係合した状態では先端が突出し、その状態から先端を本体内に戻せば継手部材がプラグから外れる場合に、継手部材がプラグに連結した状態で継手部材の先端に係合するスライド部材を設け、このスライド部材を外部からスライドさせることにより継手部材をプラグから外すことができるようにしたことを特徴とする請求項１から請求項４のいずれかに記載のプラグユニット。
【発明の詳細な説明】
【技術分野】
【０００１】
本発明は、ガス器具に設けられ、ガス器具に対してガスを供給する継手部材が接続されるプラグユニットに関する。
【背景技術】
【０００２】
ガス器具にはガスを供給するゴム管が接続されるプラグが設けられている。このプラグには複数の種類が有り、ゴム管を直接接続するためのものや、ワンタッチで着脱することのできる継手部材が接続されるもの等がある。そして、これら複数種類のプラグは相互に形状が相違している。
【０００３】
特に、継手部材用のプラグにゴム管を直接接続すると、ゴム管が容易に外れるため、このような誤った使用は好ましくない。ところが、ホースバンドと呼ばれる、ゴム管を外周から締め付けてプラグとゴム管とを強固に連結させるものを用いれば、継手部材用のプラグにゴム管を直接接続できる場合がある。しかしながら、このような使用は誤った使用であり、また、ホースバンドでゴム管をプラグに固定しても、ゴム管用のプラグに接続した場合に比べてゴム管が外れやすいことには変わりない。
【０００４】
そこで、継手部材用のプラグにゴム管を誤って接続した場合であっても、ホースバンドが使用できないように、このプラグを囲繞する筒状のカバーを取り付けて、上述のような誤った使用を防止するようにしたものが知られている（例えば、特許文献１参照）。
【先行技術文献】
【特許文献】
【０００５】
【特許文献１】特開平１１-６３３４４号公報（図１）
【発明の概要】
【発明が解決しようとする課題】
【０００６】
上記従来のものでは、ホースバンドの取り付けは阻止できるものの、ゴム管を継手部材用のプラグに接続すること自体は阻止できない。したがって、ゴム管をこのプラグに接続した状態でガス器具が使用されると、かえってゴム管が容易にプラグから外れてしまい、好ましくない。
【０００７】
そこで本発明は、上記の問題点に鑑み、継手部材用のプラグに対してゴム管を確実に接続できなくするプラグユニットを提供することを課題とする。
【課題を解決するための手段】
【０００８】
上記課題を解決するために本発明によるプラグユニットは、ゴム管の直径より大きな先端を有する継手部材が着脱自在に接続されるプラグを備えたプラグユニットにおいて、プラグユニットの先端近傍に、ゴム管をプラグに連結しようとした際にゴム管とプラグとの間に位置してゴム管がプラグに連結されることを阻害する阻害手段と、継手部材がプラグに連結される際にプラグの先端で移動され、その移動に伴って阻害手段を退避させて継手部材がプラグへ連結されることを許容する阻害解除手段を設けたことを特徴とする。
【０００９】
プラグに何も接続されていない状態では、プラグの先端近傍に阻害手段が位置するため、ゴム管をプラグに直接接続することができない。継手部材を接続する際には継手部材が阻害解除手段を作動させて阻害手段を退避させるため、継手部材をプラグに接続することが可能となる。
【００１０】
更に具体的な構成としては、プラグを囲繞し、端部がプラグの先端よりも突出するケーシングを備え、このケーシングの端部から可撓性を有する腕部をプラグの先端に向かって延設し、腕部の先端をケーシングの中心方向に屈曲させて上記阻害手段とすると共に、腕部の中間部分に上記阻害解除手段を形成し、継手部材が腕部の中間部分に当接した状態から継手部材をプラグ側に進めると、腕部が外方向に撓んで腕部の先端が継手部材の先端の進行範囲から退避するようにしてもよい。
【００１１】
また、プラグを囲繞する阻害部材からプラグの先端位置よりも突出する可撓性を有する腕部を形成し、この腕部の先端を阻害部材の中心方向に屈曲させて上記阻害手段とすると共に、プラグを囲繞し、端部がプラグの先端よりも突出するケーシングを設け、このケーシングの端部から可撓性を有する解除腕部をプラグの先端に向かって延設し、解除腕部の先端を阻害部材の腕部の内側に係合させ、継手部材が解除腕部に当接した状態から継手部材をプラグ側に進めると、解除腕部が外側に撓むことにより腕部を外方向に撓ませて腕部の先端が継手部材の先端の進行範囲から退避するようにしてもよい。
【００１２】
あるいは、プラグの先端から所定距離離した位置に、１対の開閉式のシャッタ部材を上記阻害手段として配設すると共に、シャッタ部材を挟んでプラグと反対側に１対の開閉翼部材を上記阻害解除手段として設け、開閉翼部材の外側端部で揺動自在に保持することにより、開閉翼部材に継手部材が当接した状態から継手部材をプラグ方向に進めると、開閉翼部材が揺動し、かつ揺動部材にシャッタ部材を連結すると共にシャッタ部材を外側にガイドするガイド溝に係合させ、開閉翼部材が揺動するとシャッタ部材が連動して外側に移動することによりシャッタ部材が継手部材の先端の進行範囲から退避するようにしてもよい。
【００１３】
上記のいずれの構成であっても、上記継手部材の先端は継手部材の本体に対して進退自在であって、継手部材がプラグに係合した状態では先端が突出し、その状態から先端を本体内に戻せば継手部材がプラグから外れる場合に、継手部材がプラグに連結した状態で継手部材の先端に係合するスライド部材を設け、このスライド部材を外部からスライドさせることにより継手部材をプラグから外すことができるようにすることが望ましい。
【発明の効果】
【００１４】
以上の説明から明らかなように、本発明は、継手部材が接続されるプラグに対してゴム管を直接接続しようとしても阻害手段によってゴム管の先端がプラグまで到達することができない。そのため、このプラグに対してゴム管の接続自体を防止することができ、ゴム管を誤ってこの種のプラグに直接接続するという誤接続を完全に防止することができる。
【図面の簡単な説明】
【００１５】
【図１】本発明の一実施の形態の構成を示す図
【図２】第１の実施形態におけるプラグユニットの外観図
【図３】その分解斜視図
【図４】その断面図
【図５】第２の実施形態におけるプラグユニットの外観図
【図６】その分解斜視図
【図７】その断面図
【図８】第３の実施形態におけるプラグユニットの外観図
【図９】その分解斜視図
【図１０】その断面図
【図１１】シャッタ部材の変形の様子を示す図
【発明を実施するための形態】
【００１６】
図１を参照して、ＦＨはガスファンヒータであり、このガスファンヒータＦＨの背面にガスコードが接続されるプラグユニット１が設けられている。なお、ガスコードとはゴム管の一種であるが、耐久性や耐折れ曲がり性を向上させるために表面が強化されたものである。そして、ガスコードの端部には図示しない継手部材が取り付けられており、この継手部材がプラグユニット１に接続される。
【００１７】
図２から図４を参照して、このプラグユニット１内には継手部材が連結されるプラグ１１が設けられている。このプラグ１１は継手部材が接続されるように形成されており、他のゴム管が直接接続されることは想定されていない。そのため、誤ってプラグ１１にゴム管が直接接続されることを防止する必要がある。
【００１８】
プラグユニット１にはプラグ１１を図において上下方向から挟む上カバー２１と下カバー２２とが設けられている。継手部材がプラグ１１に連結された状態から継手部材を外す際には継手部材の先端に設けられている筒状部材を抜け方向にスライドさせる必要がある。そこで、連結解除部材２３を設けた。この連結解除部材２３は保持部材２７に保持されており、両ケース２１，２２が合わさった状態で外部に露出する１対の指掛け部２５を備えており、この指掛け部２５に指を添えて連結解除部材２３を抜け方向にスライドさせると、爪２６が継手部材の筒状部材に係合して筒状部材を抜け方向にスライドさせることができる。
【００１９】
上カバー２１はプラグを囲繞するように筒状に形成されている。そして上ケース２１は図において上方に開口しており、その開口している暗部から内側に複数本の腕部２８を設けた。この腕部２８は可撓性を有しており、かつ、先端がプラグ１１の先端の手前で内側に屈曲している。その屈曲した先端部分２８ａが阻害手段として機能する。すなわち、図４に示すように、各先端部分２８ａがプラグ１１の先端を覆うため、ゴム管をプラグ１１に連結しようとしても、ゴム管の先端は先端部分２８ａに当接してそれ以上プラグ１１に近づくことができない。したがって、ゴム管をプラグ１１に連結することが物理的に阻害される。
【００２０】
一方、腕部２８の中間部分に斜面部２８ｂを形成した。この斜面部２８ｂは阻害解除手段として機能するものであり、継手部材をプラグ１１に連結するためにプラグ１１に継手部材を近づけると、連結部材の先端の筒状部材がこの斜面部２８ｂに当接する。更に継手部材をプラグ１１に向かって進めると、継手部材の先端の筒状部材はこの斜面部２８ｂを外側に押し広げ、腕部２８を撓ませる。すると、腕部２８の先端部分２８ａは外側に移動して、継手部材の先端の進行範囲から退避することになる。そのため、継手部材は先端部分２８ａに接触することなくプラグ１１に連結することができる。なお、継手部材をプラグ１１から外す際には、上述のように連結解除部材２３を抜け方向にスライドさせればよい。
【００２１】
上記実施の形態では、阻害手段である先端部分２８ａと阻害解除手段である斜面部２８ｂとを同一の腕部２８に形成したが、阻害手段と阻害解除手段とを別部材で構成してもよい。例えば、図５から図７を参照して、これらの図面に示す第２の実施の形態では、上カバー３１と下カバー３３の他に、両カバー３１，３３の間にホルダ３２を設けた。そして、このホルダ３２に，連結解除部材３４と阻害部材３６とを保持させた。連結解除部材３４には外部に突出する指掛け部３５が設けられており、この指掛け部３５に指をかけて抜け方向にスライドさせると爪３４ａが継手部材の先端の筒状部材に引っ掛かって継手部材をプラグ１１から外すことができる。
【００２２】
阻害部材３６には、プラグ１１の先端位置よりも更に図において上方に延びる腕部３６ａが設けられており、この腕部３６ａの先端を内側に屈曲させた先端部分３６ｃを阻害手段とした。そして腕部３６ａの中間部分には両側に突き出した係合部３６ｂを設けた。
【００２３】
一方、上カバー３１の上端部から可撓性を有する解除腕部３１ａを、プラグ１１の先端に向かって延設し、解除腕部３１ａの先端３１ｃを係合部３６ｂの内側面に係合させた。また、腕部３１ａの中間部分に阻害解除手段となる傾斜部３１ｂを形成した。
【００２４】
上記構成によれば、ゴム管を直接プラグ１１に接続しようとしても先端部分３６ｃが邪魔をして接続することができない。また、継手部材を接続する際には、継手部材の先端の筒状部材が傾斜部３１ｂに当接し、上カバー３１の解除腕部３１ａを外側に拡がるように撓ませる。この解除腕部３１ａの先端３１ｃが係合部３６ｂに係合しているので、先端３１ｃが外側に移動する際に係合部３６ｂを外側に押して、阻害部材３６の腕部３６ａを外側に拡がるように撓ませる。腕部３６ａの先端には阻害手段である先端部分３６ｃが形成されているので、腕部３６ａが外側に撓めば、先端部分３６ｃは外側に移動し、先端部分３６ｃが継手部材の先端の進行範囲から退避することになる。
【００２５】
上記の第１および第２の実施の形態では、共に腕状の部分の先端に阻害手段を設けて、その腕状の部分を外側に撓ませることにより継手部材がプラグ１１に接続できるようにした。ただし、本発明はこのような腕部を撓ませる構成に限定されるものではなく、例えば図８から図１１に示すように構成してもよい。
【００２６】
この第３の実施の形態では、左右のカバー４１，４２でプラグ１１を挟むようにした。そして、両カバー４１，４２の内側に、阻害手段であるシャッタ部材４３と、阻害解除手段である１対の開閉翼部材４４を設けた。なお、４５は連結解除部材であり、外部に露出する指掛け部４５ｂに指を掛けて抜け方向に
スライドさせると爪４５ａが継手部材の先端の筒状部材Ｊをスライドさせて、継手部材がプラグ１１から外せるようにした。
【００２７】
シャッタ部材４３は１個の部材であり、１対のシャッタ部４３ａが１対のバネ部４３ｂによって連結された形状に成形されている。一方、開閉翼部材４４には、開閉翼部材４４自体を両カバー４１，４２に揺動自在に保持させるための揺動軸４４ａが形成されている。また、内側に向かって突出する１対の係合軸４４ｂが設けられており、この係合軸４４ｂはシャッタ部材４３に形成された係合穴４３ｃに遊嵌される。更に、シャッタ部材４３には外側に突出する４本のガイド軸４４ｄが設けられている。これらガイド軸４４ｄは両カバー４１，４２の内側面に形成されたガイド溝４１ａ内に、ガイド溝４１ａに沿って移動自在に挿入されている。
【００２８】
上記構成によれば、ゴム管をプラグ１１に直接接続しようとしてもシャッタ部材４３のシャッタ部４３ａが邪魔でゴム管をプラグ１１に接続させることができない。これに対して、継手部材をプラグ１１に接続する際には、継手部材の筒状部材Ｊが開閉翼４４に当接する（図１１（ａ））。その状態から更に継手部材をプラグ１１に近づけると、開閉翼部材４４は揺動軸４４ａを中心に揺動する。すると、連結軸４４ｂと連結穴４３ｃとで開閉翼部材４４に対して連結されているシャッタ部材４３の一方のシャッタ部４３ａは外側に引っ張られる。ところが、シャッタ部材４３のガイド軸４４ｄはガイド溝４１ａ内に挿入されているので、シャッタ部４３ａが外側に移動する際に、ガイド軸４４ｄがガイド溝４１ａ内を移動することによってシャッタ部４３ａは、内側に向かってお辞儀するように傾いて、両シャッタ部４３ａの間隔が拡がるように姿勢を変化させる。これにより、シャッタ部４３ａが継手部材の筒状部Ｊの先端の進行範囲から退避することになる（１１図（ｂ））。
【００２９】
ところで、上記の第１から第３の実施の形態では、いずれもプラグ１１はガスファンヒータＦＨに対して回動自在に取り付けられており、プラグ１１の回転と共にプラグユニット１も回転する。
【００３０】
なお、本発明は上記した形態に限定されるものではなく、本発明の要旨を逸脱しない範囲内において種々の変更を加えてもかまわない。
【符号の説明】
【００３１】
１  プラグユニット
１１  プラグ
４３  シャッタ部材
４４  開閉翼部材
ＦＨ  ガスファンヒータ
【図１】
2010164135.tif 000003
【図２】
2010164135.tif 000004
【図３】
2010164135.tif 000005
【図４】
2010164135.tif 000006
【図５】
2010164135.tif 000007
【図６】
2010164135.tif 000008
【図７】
2010164135.tif 000009
【図８】
2010164135.tif 000010
【図９】
2010164135.tif 000011
【図１０】
2010164135.tif 000012
【図１１】
2010164135.tif 000013